【事件の表示】
　平成　４年特許願第１３８０８８号「文書作成方法」拒絶査定に対する審判事件［平成　５年１１月１９日出願公開，特開平　５−３０７５４５］について，次のとおり審決する。
【結　論】
　本件審判の請求は，成り立たない。
【理　由】
１　手続の経緯・本願発明
　本願は，平成４年４月３０日の出願であって，その請求項１に係る発明（以下「本願発明」という。）は，平成１３年１２月３日付けで補正された明細書及び図面の記載からみて，その特許請求の範囲の請求項１に記載された次の事項により特定されるものである。
　「文書編集画面上で文書の本文の作成中に該本文中の注釈対象の文字に対して注釈追加キーが押下されたとき，前記注釈対象の文字の近傍に注釈書き込み用ウィンドーを開け，該注釈書き込み用ウィンドー内に注釈文が書き込まれると，該注釈文に他の注釈文とは重複しない注釈記号を付けて前記本文に付加し，前記注釈書き込み用ウィンドーを閉じて前記注釈対象の文字に前記注釈記号を表示することを特徴とする文書作成方法。」
　
２　引用例
　これに対して，原査定の拒絶の理由に引用された，本願の出願日前に頒布された特開昭５８−２０１１３０号公報（以下「引用例１」という。），特開昭６２−１５６７６７号公報（以下「引用例２」という。）には，それぞれ，図面とともに次の事項が記載されている。
２−１　引用例１（特開昭５８−２０１１３０号公報）の記載事項
(1)「ワード処理システムから本文テキスト・フレームを呼出して表示し，該本文テキスト・フレームに従って本文テキストを入力し，脚注テキストの参照を示す脚注参照番号を入れるべき位置まで本文テキストを入力した時入力済みの本文テキストを前記ワード処理システムの第１の記憶装置に貯蔵して前記ワード処理システムから脚注フレームを呼出して表示し，該脚注フレームに従って脚注テキストを入力し，入力済み脚注テキストを前記ワード処理システムの第２の記憶装置に貯蔵し，前記本文テキストを再び呼び出して前記ワード処理システムから所定の順序で付与される脚注参照番号を脚注参照番号位置に入力し，同時に前記脚注参照番号に対応する脚注番号を前記ワード処理システムにより前記脚注テキストに付与せしめることを特徴とする，脚注付文書の処理方法。」（特許請求の範囲）
(2)「本発明によって，入力から出力への脚注参照番号および脚注番号の付与を管理する方法が提供され，草稿枚数の減少，スループットの増加および通常の編集上の制約の除去が行なわれる。本発明によって，操作員は脚注のある文書を一工程で入力できる。文書入力の間，本文テキストは脚注参照番号の位置までキー入力される。この本文テキストのキー入力の間，テキストが表示され編集が可能である。脚注参照番号位置で制御信号がキー入力され，脚注をキー入力するための表示フレームが表示され，脚注の編集も可能である。脚注入力に続いて，操作員は，本文テキストのキー入力を続行するため本文テキスト表示フレームを再び呼出し，脚注は脚注ライブラリに記憶される。本発明によって脚注参照番号位置および脚注に対応する番号が自動的に指定され，後の編集時に番号変更を必要とする場合にも自動的に処理される。本文および脚注のキー入力に続き，操作員の手順に従ってシステムは本文および脚注テキストを組立てる。組立動作にはマージおよびページ付け動作が含まれる。組立後，検査および編集のため文書をページ単位で呼出して表示することができる。それが終って，文書は印刷可能になる。」（３頁左上欄１２行〜同頁右上欄１５行）
(3)「第１乃至３図で，ページｎ，ｎ＋１およびｎ＋２は脚注付き文書における任意の連続する３ページを表わし，実線は本文テキスト，波線は脚注テキストを表わす。
　・・・（中略）・・・本文テキストのキー入力は第４図に示す本文テキスト・フレーム１００に入力される。脚注参照番号１の位置で，第５図に示す脚注テキスト・フレーム１０１が呼出されて操作員に示され，第１図の脚注テキストがキー入力される。また，本文テキストはキー入力される脚注テキストとは別個に記憶される。第５図で脚注１の脚注テキストのキー入力が完了すると，操作員は本文テキスト・フレーム１００を呼出すキー操作を行なう。この時点で，システムは自動的に脚注テキスト・フレーム１０１の脚注テキストを脚注ライブラリに記憶し，本文テキスト・フレーム１００を呼出し，本文テキスト・フレーム１００内に番号１を表示し，操作員が本文テキスト・フレーム１００の番号１の位置から本文テキストを更にキー入力するのを待つ。第６図で脚注入力番号２の位置までのキー入力に続いて，操作員は第７図に示す脚注テキスト・フレーム１０２を呼出し，脚注２の脚注テキストをキー入力する。脚注テキスト・フレーム１０２での脚注２の脚注テキストのキー入力に続いて，本文テキスト・フレーム１００が再び呼出され，本文テキスト・フレーム１００（第６図）内に番号２が表示される。
　前記動作は第３図のページｎ＋２の脚注および本文テキストの全てのキー入力が終るまで続く。
　以下の説明では，前記によって入力された文書は第１乃至３図に示す３ページのみから成るものとする。入力に続いて，最終的な印刷のために別個に書込まれた脚注および本文のテキストをマージし，組立てられた文書をページ付けする動作が必要である。ページ付け／組立動作によって，表示および印刷のため第１乃至３図に示すように各々のページの最下部に脚注が形成される。本発明によって操作員は印刷前に脚注が本文テキストとともにどのように現われるかを正確に調べることができる。
　また，本発明によって，番号付与のすべての仕事がシステムによって自動的に処理される。これは入力時ばかりではなく，脚注および脚注参照番号の挿入，削除，位置変更を含む後の編集の際にもあてはまる。」（３頁右上欄１７行〜４頁左上欄１４行）
　
２−２　引用例２（特開昭６２−１５６７６７号公報）の記載事項
(1)「文書中の任意の文字列に対応するメモを書込むための領域であるメモ・ウィンドを上記文書中に開くための手段と，上記メモ・ウィンド中にメモを書込むと共にメモを修正するための手段と，上記メモを管理記憶するための手段と，上記記憶されたメモに記述されている内容を上記メモ・ウィンドに表示するための手段とを具備して成ることを特徴とするメモ機能を有するワード・プロセッサ。」（特許請求の範囲）
(2)「このような構成のものに於けるメモの設定を，以下第３図の表示例及び第４図乃至第６図のフロー・チャートを参照して説明する。
　まず，メモを入力したい位置を指定するために，その位置に上記入力装置１２のカーソル・キー等によりカーソル３０を合わせ，例えば『メモ作成』キー等によりメモ作成要求を成す（ステップＳＴ４０１）。これにより，未入力のメモ・ウィンド３２を開く（ステップＳＴ４０２）。」（２頁左下欄１９行〜同頁右下欄７行）
(3)「このようにして空きメモ・データ格納アドレスが検索され，メモ・データ総容量に残量が無かったならば（ステップＳＴ４０８），メモ・ウィンド３２を閉じて終了する（ステップＳＴ４０５）。残量が有ったならば，ガイダンス域３４に『メモを入力して下さい』と表示する（ステップＳＴ４０９）。
　そして，文書作成と同様の操作で，開かれたメモ・ウインド３２に所望のメモが入力される。これは，上記のようにして確保されたメモ・データ域をワード・プロセッサ・プログラムに渡し，ワード・プロセッサ・プログラムがこの渡されたメモ・データ域に対してデータの入力を行なうことによって成される。
　即ち，例えば『終了』キー操作のような終了要求が成されると（ステップＳＴ４１０），ガイダンス域３４の表示を消し（ステップＳＴ４１１），メモ・ウィンド３２を閉じて終了するが（ステップＳＴ４０５），文字キー入力が成されたならば（ステップＳＴ４１２），メモ・データ格納域１８への入力文字データを格納する（ステップＳＴ４１３）。」（３頁右下欄９行〜４頁左上欄１０行）
(4) 第３図には，メモを入力したい位置である「入」の文字にカーソル３０を合わせ，メモ作成を指示すると「入」の文字の近傍にメモ・ウィンド３２が開かれ，このメモ・ウィンド３２にカーソル３０が移り，所望のメモが入力されることが示されている。
　
２−３　引用例記載発明
(1) 上記２−１の記載事項を検討するに，引用例１では，本文テキストと脚注テキストとは別個の記憶手段に記憶されるが，これらのテキストは最終的にはマージされ，１つの文書に組み立てられるから，脚注テキストは本文テキストに付加されることは明らかである。
(2) してみると，引用例１には，
「ワード処理システムから本文テキスト・フレームを呼出して表示し，該本文テキスト・フレームに従って本文テキストを入力し，脚注テキストの参照を示す脚注参照番号を入れるべき位置で制御信号がキー入力されると，前記ワード処理システムから脚注をキー入力するための脚注フレームを呼出して表示し，該脚注フレームに従って脚注テキストを入力し，前記本文テキストを再び呼び出すと，前記ワード処理システムから所定の順序で付与される脚注参照番号を脚注参照番号位置に入力し，同時に前記脚注参照番号に対応する脚注番号を前記ワード処理システムにより前記脚注テキストに付与せしめ，本文テキストと脚注テキストをマージし，脚注テキストを本文テキストに付加することを特徴とする，脚注付文書の処理方法。」
の発明（以下「引用例記載発明」という。）が記載されていると認められる。
　
３　対比
(1) そこで，本願発明と引用例記載発明とを対比すると，引用例記載発明の「本文テキストフレーム」，「本文テキスト」，「脚注テキスト」，「脚注番号」，「脚注参照番号」が，本願発明の「文書編集画面」，「本文」，「注釈文」，注釈文に付される「注釈記号」，本文に付される「注釈記号」にそれぞれ相当する。
　そして，引用例記載発明の「制御信号」を入力する「キー」は，脚注を入力するための脚注フレームを呼出して表示する契機となるものであるから，本願発明の「注釈追加キー」に相当する。
　また，引用例記載発明の「脚注フレーム」は，ウィンドーではないが（この点は，相違点(3)として別途抽出する。），脚注を表示・入力する「領域」という上位概念で対比すると，本願発明の「注釈書き込み用ウィンドー」に対応する。
(2) そうすると，本願発明と引用例記載発明は，
　「文書編集画面上で文書の本文の作成中に該本文中の注釈対象に対して注釈追加キーが押下されたとき，注釈書き込み用領域を開け，該注釈書き込み用領域内に注釈文が書き込まれると，該注釈文に他の注釈文とは重複しない注釈記号を付けて前記本文に付加し，前記注釈書き込み用領域を閉じて前記注釈対象に前記注釈記号を表示することを特徴とする文書作成方法。」
である点で一致し，下記の点で相違する。
〔相違点１〕本願発明は，本文中の「文字」を注釈対象として，「注釈対象の文字」に対して注釈追加キーが押され，また，「注釈対象の文字」に注釈記号を表示しているのに対し，引用例記載発明では，この点が明らかでない点。
〔相違点２〕本願発明の「領域」は，「注釈対象の文字の近傍」に開かれるのに対し，引用例記載発明の「領域」は，そのようになっていない点。
〔相違点３〕本願発明の「領域」は，「ウィンドー」であるのに対し，引用例記載発明の「領域」は，「フレーム」である点。
　
４　当審の判断
(1) 相違点１について
　引用例記載発明では，脚注参照番号を入れるべき位置まで本文テキストが入力される構成であり，また，脚注参照番号位置に脚注参照番号を入れる構成であるが，脚注参照番号を入れるべき位置（脚注参照番号位置）とは，脚注参照番号の通常の付与態様からみて，本文テキスト中で，脚注を付すべき語句の直後が普通であることは，当業者が容易に理解するところである。
　そうすると，引用例記載発明における脚注参照番号と本文テキストとの関係は，本文テキストが入力され，脚注を付すべき語句が入力された直後の位置に脚注参照番号が入れられる関係にあるということになり，引用例記載発明における注釈対象は，入力された本文テキスト中の脚注を付すべき語句の最後の文字であるということができる。
　したがって，引用例記載発明において，注釈対象の文字に対して，制御信号をキー入力するように構成し，また，注釈対象の文字に脚注参照番号を表示するように構成することは，当業者が容易に想到し得ることである。
(2) 相違点２，３について
　引用例２には，ワードプロセッサにおいて，文書中の任意の文字列に対応するメモを書込むための領域であるメモ・ウィンドを上記文字列の近傍に開き，このメモ・ウィンド中にメモを書込むこと，即ち，メモの対象となる文字列の近傍に，メモを書き込むためのウィンドーを開き，このウィンドー内に上記文字列に関するメモを書き込むことが記載されている。
　引用例１と引用例２は，共に，ワードプロセッサという同一の技術分野に属するものであり，しかも，引用例２におけるメモは，文書中の文字列についてワードプロセッサにより作成されるテキストであるから，引用例記載発明の「領域」である「フレーム」に代えて，引用例２記載の「ウィンドー」を採用し，この「ウィンドー」を脚注参照番号を入れるべき位置の近傍，即ち，注釈対象の文字の近傍に開くようにすることは，当業者が容易に想到し得ることである。
(3) 作用効果について
　本願発明の作用効果についてみても，引用例記載発明，引用例２に記載された事項及び周知事項から当業者が容易に推測し得る程度のものであり，格別のものとはいえない。
　
５　むすび
　したがって，本願発明は，引用例記載発明，引用例２に記載された事項及び周知事項に基づいて，当業者が容易に発明をすることができたものであるので，特許法第２９条第２項の規定により特許を受けることができない。
　よって，結論のとおり審決する。